【手続補正書】
【提出日】平成23年4月6日(2011.4.6)
【手続補正１】
【補正対象書類名】特許請求の範囲
【補正対象項目名】全文
【補正方法】変更
【補正の内容】
【特許請求の範囲】
【請求項１】
電力変換器用の集積回路制御器であって、
前記電力変換器のフィードバック回路に連結され、前記電力変換器の入力電圧に応答して前記電力変換器の前記フィードバック回路における不良状態を検出するように連結される不良検出器を含み、前記フィードバック回路は前記電力変換器の出力を表すフィードバック情報を与えるよう連結され、前記集積回路制御器はさらに、
前記不良検出器に連結され、前記フィードバック情報に応答して前記電力変換器の前記出力を調節するために前記電力変換器の電力スイッチのスイッチングを制御するように連結され、前記電力スイッチの前記スイッチングの間に前記不良検出器が前記不良状態を検出することに応答して前記電力スイッチの前記スイッチングを阻止するように連結される制御部を含む、集積回路制御器。
【請求項２】
前記フィードバック回路から感知信号を受信するように連結されるセンサをさらに含み、前記感知信号が前記電力変換器の前記入力電圧を表し、前記センサが前記感知信号のサンプリングによってサンプル信号を発生させるように連結され、前記不良検出器が前記サンプル信号に応答して前記不良状態を検出する請求項１に記載の集積回路制御器。
【請求項３】
前記不良検出器が前記サンプル信号を不良しきい値と比較するように、かつ前記不良状態が存在するかどうかを示す決定信号を出力するように連結された比較器を含む請求項２に記載の集積回路制御器。
【請求項４】
前記感知信号が電流であり、前記サンプル信号が実質的に前記感知信号に比例するサンプル電流である請求項２に記載の集積回路制御器。
【請求項５】
前記制御部が、前記電力スイッチをオン状態とオフ状態との間で交互に切り換えることによって前記電力変換器の前記出力を調節するために前記電力変換器の前記電力スイッチの前記スイッチングを制御するように連結され、前記電力スイッチを不能にすることによって前記電力スイッチの前記スイッチングを阻止する請求項１に記載の集積回路制御器。
【請求項６】
前記不良状態が前記フィードバック回路内の短絡を含む請求項１に記載の集積回路制御器。
【請求項７】
前記不良検出器が、前記不良状態が検出される時間を判定するため、及び前記判定された時間が第１のしきい値時間期間以上であれば前記電力変換器の電力出力レベルを下げるように前記制御部に阻止信号を出力するためのカウンタを含む請求項１に記載の集積回路制御器。
【請求項８】
前記カウンタが、前記不良状態が残っているかどうかに関係なく第２のしきい値時間の間、前記電力変換器の電力出力レベルを下げるように前記制御部に阻止信号を出力する請求項７に記載の集積回路制御器。
【請求項９】
電力変換器用の集積回路制御器であって、
前記電力変換器のフィードバック回路に連結される端子を含み、前記フィードバック回路は前記電力変換器の出力を表すフィードバック情報を与えるよう連結され、前記集積回路制御器はさらに、
前記フィードバック情報に応答して前記電力変換器の前記出力を調節するために前記電力変換器の電力スイッチのスイッチングを制御するように連結された制御部と、
前記端子に連結され、前記端子において電流をサンプリングするように連結されたセンサであって、前記サンプリングされた電流が前記電力変換器の入力電圧を表すセンサと、
前記センサと前記制御部との間に連結され、前記サンプリングされた電流に応答して不良状態を検出するように連結される不良検出器とを含み、前記不良検出器が前記不良状態を検出することに応答して前記制御部が前記電力変換器の電力出力レベルを下げる、集積回路制御器。
【請求項１０】
前記不良検出器が、前記サンプリングされた電流をしきい値電流と比較するように、かつ前記不良状態が存在するかどうかを示すための決定信号を発生させるように連結された電流比較器を含む請求項９に記載の集積回路制御器。
【請求項１１】
前記不良状態が、前記フィードバック回路が前記集積回路制御器の前記端子から切り離されていることを含む請求項９に記載の集積回路制御器。
【請求項１２】
前記制御部が、前記電力スイッチのスイッチング周波数を調節することによって前記電力変換器の前記電力出力レベルを下げるように連結される請求項９に記載の集積回路制御器。
【請求項１３】
前記電力スイッチが前記集積回路制御器の中に組み込まれる請求項９に記載の集積回路制御器。
【請求項１４】
前記センサが、前記電力スイッチのオン状態のうちの少なくとも一部分の間、前記端子を実質的に一定の電圧にクランプするように連結される請求項９に記載の集積回路制御器。
【請求項１５】
前記不良検出器が、前記不良状態が検出される時間を判定するため、及び前記判定された時間が第１のしきい値時間期間以上であれば前記電力変換器の前記電力出力レベルを下げるように前記制御部に阻止信号を出力するためのカウンタを含む請求項９に記載の集積回路制御器。
【請求項１６】
前記カウンタが、前記不良状態が残っているかどうかに関係なく第２のしきい値時間の間、前記電力変換器の前記電力出力レベルを下げるように前記制御部に阻止信号を出力する請求項１５に記載の集積回路制御器。
【請求項１７】
電力変換器用の集積回路制御器であって、
前記電力変換器の出力を調節するために電力スイッチのスイッチングを制御するように連結された制御部と、
前記集積回路制御器の端子からの信号を受信するように連結されたセンサであって、前記端子からの信号は、前記電力スイッチのオン状態のうちの少なくとも一部分の間の前記電力変換器の入力電圧を表し、かつ、前記電力スイッチのオフ状態のうちの少なくとも一部分の間の前記電力変換器の出力電圧を表し、前記センサは、前記電力スイッチのオン状態のうちの少なくとも一部分の間、前記端子からの信号をサンプリングするように連結された、前記センサと、
前記センサと前記制御部との間に連結され、前記サンプリングされた信号に応答して前記電力変換器の不良状態を検出するように連結される不良検出器とを含み、前記不良検出器は、前記不良状態を検出することに応答して前記制御部が前記電力変換器の電力出力レベルを下げるために前記電力スイッチの前記スイッチングを阻止するように連結される集積回路制御器。
【請求項１８】
前記不良検出器が、前記不良状態が検出される時間を判定するため、及び前記判定された時間が第１のしきい値時間期間以上であれば前記電力変換器の前記電力出力レベルを下げるように前記制御部に阻止信号を出力するためのカウンタを含む請求項１７に記載の集積回路制御器。
【請求項１９】
前記カウンタが、前記不良状態が残っているかどうかに関係なく第２のしきい値時間の間、前記電力変換器の前記電力出力レベルを下げるように前記制御部に阻止信号を出力する請求項１８に記載の集積回路制御器。
【請求項２０】
前記制御部が、前記電力スイッチがオン状態にあるときに前記電力スイッチを通るドレイン電流を制限することによって前記電力変換器の前記電力出力レベルを下げるように前記電力スイッチの前記スイッチングを阻止する請求項１７に記載の集積回路制御器。
【請求項２１】
前記センサが、前記制御部から前記電力スイッチに出力されるドライブ信号に応答して前記電力スイッチの前記オン状態のうちの前記一部分の間、前記端子から前記信号をサンプリングする請求項１７に記載の集積回路制御器。
【請求項２２】
前記端子からの前記信号が第１の信号と第２の信号を含み、前記第１の信号が前記電力スイッチの前記オン状態のうちの少なくとも前記部分の間の前記電力変換器の前記入力電圧を表す電流であり、前記第２の信号が前記電力スイッチの前記オフ状態のうちの少なくとも前記部分の間の前記電力変換器の前記出力電圧を表す電圧である請求項１７に記載の集積回路制御器。
【請求項２３】
前記制御部が、前記制御部から前記電力スイッチに出力されるドライブ信号のデューティ・サイクルを調節することによって前記電力変換器の前記電力出力レベルを下げるように前記電力スイッチの前記スイッチングを阻止するように連結される請求項１７に記載の集積回路制御器。
【請求項２４】
前記電力スイッチが、前記電力スイッチの前記オン状態のうちの少なくとも前記部分の間の前記入力電圧を実質的に表す反映電圧を生成するための補助巻線を含むエネルギー伝達素子に連結され、前記反映電圧に応答して前記感知信号が生成された請求項１７に記載の集積回路制御器。
【請求項２５】
前記端子がフィードバック端子であり、前記集積回路制御器が接地端子をさらに含み、前記フィードバック回路が、
前記補助巻線と前記フィードバック端子との間に連結された第１の抵抗器と、
前記フィードバック端子と前記接地端子との間に連結された第２の抵抗器とを含み、前記集積回路制御器によって調節される前記電力変換器の前記出力の値が前記第１の抵抗器の抵抗値と前記第２の抵抗器の抵抗値に応答する請求項２４に記載の集積回路制御器。